(57)【特許請求の範囲】
【請求項１】
筒状の外ケースと、
合掌状態に２分割された筒状をなし、内部にプラグ本体装着用の取付孔が形成され、前記筒状の外周面が前記外ケース内の先端側に着脱自在に嵌合される絶縁性の内ケースと、
第１及び第２の導体を有するコードの前記第１の導体に接続された導電性の筒状スリーブ、前記第２の導体に接続されたコンタクト、及び絶縁部材を有し、前記スリーブが前記取付孔を貫通する状態で前記取付孔に着脱自在に装着され、前記コンタクトが前記スリーブ内に配置され、前記絶縁部材によって前記コンタクトが前記スリーブに固定されたプラグ本体と、
表面から裏面を貫通する貫通孔を有し、前記裏面が前記プラグ本体の後端側に対して略直交する方向に固定され、前記コンタクトの後端が前記貫通孔内を貫通して前記表面側へ突出する基板と、
前記基板に搭載された発光素子及び抵抗を有し、前記発光素子及び前記抵抗が直列に接続され、且つ前記発光素子及び前記抵抗が前記スリーブ及び前記コンタクトに対して並列に接続された発光回路と、
前記外ケース内に着脱自在に装着されて内部に前記コードを略直線状に貫通させる筒状をなし、前記筒状の先端開口部が前記発光素子に対向し、前記筒状の後端開口部が前記外ケースの後端開口部の周縁に位置し、前記発光素子から発光する光を前記筒状の先端開口部から受光し、前記受光した光を前記筒状の後端開口部へ伝達して前記後端開口部の周方向に拡散して前記後端開口部の全周を発光させる光透過性の発光筒と、
を備えたことを特徴とするプラグ。
【請求項２】
請求項１記載のプラグにおいて、
前記発光筒内に位置する前記コードの端末部分をコード固定部材で固定し、前記コード固定部材の外周面の一部を前記発光筒の後端開口部で固定する構造にしたことを特徴とするプラグ。
【請求項３】
前記発光筒の後端開口部に、前記発光筒の先端開口部から伝達される光を内側に乱反射させる粗面状の反射面を形成したことを特徴とする請求項１又は２記載のプラグ。
【請求項４】
前記発光筒の後端開口部に、前記発光筒の先端開口部から伝達される光を内側に反射させる反射面を形成すると共に、前記反射面に光拡散用の凹凸を形成したことを特徴とする請求項１又は２記載のプラグ。
【請求項５】
合掌状態に２分割された筒状をなし、前記筒状の先端側にプラグ本体装着用の第１の孔が形成され、前記筒状の後端側にレンズ露出用の第２の孔が形成され、第１及び第２の導体を有するコードを前記筒状の側面から略直角方向に引き出すための第３の孔が形成された絶縁性のケースと、
前記コードの第１の導体に接続された導電性の筒状スリーブ、前記コードの第２の導体に接続されたコンタクト、及び絶縁部材を有し、前記スリーブが前記第１の孔を貫通する状態で前記第１の孔に着脱自在に装着され、前記コンタクトが前記スリーブ内に配置され、前記絶縁部材によって前記コンタクトが前記スリーブに固定されたプラグ本体と、
表面から裏面を貫通する貫通孔を有し、前記裏面が前記プラグ本体の後端側に対して略直交する方向に固定され、前記コンタクトの後端が前記貫通孔内を貫通して前記表面側へ突出する基板と、
前記基板に搭載された発光素子及び抵抗を有し、前記発光素子及び前記抵抗が直列に接続され、且つ前記発光素子及び前記抵抗が前記スリーブ及び前記コンタクトに対して並列に接続された発光回路と、
前記ケース内に着脱自在に装着された略ロッド状をなし、前記ロッド状の先端部が前記発光素子に対向し、前記ロッド状の後端部が前記第２の孔に挿入され、前記発光素子から発光する光を前記ロッド状の先端部から受光し、前記受光した光を前記ロッド状の後端部へ伝達して前記後端部の全体を発光させるロッドレンズと、
合掌状態に２分割されたリング部材の一方が帯状の弾性部材の一端に設けられ、前記リング部材の他方が前記弾性部材の他端に設けられ、前記弾性部材が前記ケースの外周面に装着され、前記リング部材の一方と他方が前記第３の孔の位置で接合され且つ内部に前記コードを貫通させるカバーと、
前記リング部材の一方と他方の接合部分の外周を着脱自在に固定するロックリングと、
を備えたことを特徴とするプラグ。
【請求項６】
請求項５記載のプラグにおいて、
前記第３の孔内に位置する前記コードの端末部分をコード固定部材で固定し、前記コード固定部材の外周面の一部を前記リング部材で固定する構造にしたことを特徴とするプラグ。
【発明の詳細な説明】
【０００１】
【発明の属する技術分野】
本発明は、電源或いは信号供給時にプラグの後端側が発光する発光素子付きプラグに関するものである。
【０００２】
【従来の技術】
従来、発光素子付きプラグに関する技術としては、例えば、次のような文献に記載されるものがあった。
【０００３】
【特許文献１】
特開平１０−３２７２２３号公報
【０００４】
この特許文献１に記載された技術は、携帯電話用着信表示機能付きヘッドセットに関するものであり、コードの一端側に、イヤホン及びマイクロフォンからなるヘッドセットが接続され、コードの他端側に、発光ダイオード（以下「ＬＥＤ」という。）が設けられたプラグが接続されている。そして、プラグを携帯電話機のイヤホンマイクロフォン端子に挿入した状態で、電話の着信があったときには、ＬＥＤが点灯するので、イヤホンを耳に装着していなくても電話の着信を知ることができ、自動車内等で携帯電話機を安全に使用できるようになっている。
【０００５】
【発明が解決しようとする課題】
しかしながら、従来のＬＥＤ付きプラグでは、ＬＥＤの取付位置や取付方法等に工夫がされていないので、ＬＥＤをプラグに取り付けることによってプラグ全体が大きくなったり、プラグの製造が複雑化したり、或いは、プラグ全体を小型化したときに、ＬＥＤの取付位置に制約を受けて見づらい位置に取り付けざるを得ない等といった課題があった。
【０００６】
本発明は、前記従来技術が持っていた課題を解決し、小型で、製造が容易で、且つ電源或いは信号供給時に発光箇所が見やすい発光素子付きプラグを提供することを目的とする。
【０００７】
【課題を解決するための手段】
前記課題を解決するために、本発明の内の請求項１に係る発明では、発光素子付きプラグにおいて、筒状の外ケースと、絶縁性の内ケースと、プラグ本体と、基板と、発光回路と、光透過性の発光筒とを備えている。
【０００８】
前記絶縁性の内ケースは、合掌状態に２分割された筒状をなし、内部にプラグ本体装着用の取付孔が形成され、前記筒状の外周面が前記外ケース内の先端側に着脱自在に嵌合されている。前記プラグ本体は、第１及び第２の導体を有するコードの前記第１の導体に接続された導電性の筒状スリーブと、前記第２の導体に接続されたコンタクトと、絶縁部材とを有し、前記スリーブが前記取付孔を貫通する状態で前記取付孔に着脱自在に装着され、前記コンタクトが前記スリーブ内に配置され、前記絶縁部材によって前記コンタクトが前記スリーブに固定されている。
【０００９】
前記基板は、表面から裏面を貫通する貫通孔を有し、前記裏面が前記プラグ本体の後端側に対して略直交する方向に固定され、前記コンタクトの後端が前記貫通孔内を貫通して前記表面側へ突出している。前記発光回路は、前記基板に搭載された発光素子及び抵抗を有し、前記発光素子及び前記抵抗が直列に接続され、且つ前記発光素子及び前記抵抗が前記スリーブ及び前記コンタクトに対して並列に接続されている。
【００１０】
更に、前記光透過性の発光筒は、前記外ケース内に着脱自在に装着されて内部に前記コードを略直線状に貫通させる筒状をなし、前記筒状の先端開口部が前記発光素子に対向し、前記筒状の後端開口部が前記外ケースの後端開口部の周縁に位置し、前記発光素子から発光する光を前記筒状の先端開口部から受光し、前記受光した光を前記筒状の後端開口部へ伝達して前記後端開口部の周方向に拡散して前記後端開口部の全周を発光させるようになっている。
【００１１】
請求項１に係る発明では、このような構成を採用したことにより、コードの第１及び第２の導体間に電流或いは信号が流れると、抵抗を介して発光素子が発光する。発光した光は、発光筒の先端開口部から入射して後端開口部へ伝達され、この後端開口部の周方向に拡散して全周が発光する。これにより、電源或いは信号供給時において、プラグの後端側から発光状態を検知できる。
【００１２】
請求項２に係る発明では、請求項１のプラグにおいて、前記発光筒内に位置する前記コードの端末部分をコード固定部材で固定し、前記コード固定部材の外周面の一部を前記発光筒の後端開口部で固定する構造になっている。
【００１３】
請求項３に係る発明では、請求項１又は２のプラグにおいて、前記発光筒の後端開口部に、前記発光筒の先端開口部から伝達される光を内側に乱反射させる粗面状の反射面を形成している。
【００１４】
請求項４に係る発明では、請求項１又は２のプラグにおいて、前記発光筒の後端開口部に、前記発光筒の先端開口部から伝達される光を内側に反射させる反射面を形成すると共に、前記反射面に光拡散用の凹凸を形成している。
【００１５】
請求項５に係る発明では、発光素子付きプラグにおいて、絶縁性のケースと、プラグ本体と、基板と、発光回路と、ロッドレンズと、カバーと、ロックリングとを備えている。
【００１６】
前記絶縁性のケースは、合掌状態に２分割された筒状をなし、前記筒状の先端側にプラグ本体装着用の第１の孔が形成され、前記筒状の後端側にレンズ露出用の第２の孔が形成され、第１及び第２の導体を有するコードを前記筒状の側面から略直角方向に引き出すための第３の孔が形成されている。前記プラグ本体は、前記コードの第１の導体に接続された導電性の筒状スリーブと、前記コードの第２の導体に接続されたコンタクトと、絶縁部材とを有し、前記スリーブが前記第１の孔を貫通する状態で前記第１の孔に着脱自在に装着され、前記コンタクトが前記スリーブ内に配置され、前記絶縁部材によって前記コンタクトが前記スリーブに固定されている。
【００１７】
前記基板は、表面から裏面を貫通する貫通孔を有し、前記裏面が前記プラグ本体の後端側に対して略直交する方向に固定され、前記コンタクトの後端が前記貫通孔内を貫通して前記表面側へ突出している。前記発光回路は、前記基板に搭載された発光素子及び抵抗を有し、前記発光素子及び前記抵抗が直列に接続され、且つ前記発光素子及び前記抵抗が前記スリーブ及び前記コンタクトに対して並列に接続されている。
【００１８】
前記ロッドレンズは、前記ケース内に着脱自在に装着された略ロッド状をなし、前記ロッド状の先端部が前記発光素子に対向し、前記ロッド状の後端部が前記第２の孔に挿入され、前記発光素子から発光する光を前記ロッド状の先端部から受光し、前記受光した光を前記ロッド状の後端部へ伝達して前記後端部の全体を発光させるようになっている。前記カバーは、合掌状態に２分割されたリング部材の一方が帯状の弾性部材の一端に設けられ、前記リング部材の他方が前記弾性部材の他端に設けられ、前記弾性部材が前記ケースの外周面に装着され、前記リング部材の一方と他方が前記第３の孔の位置で接合され且つ内部に前記コードを貫通させるようになっている。更に、前記ロックリングは、前記リング部材の一方と他方の接合部分の外周を着脱自在に固定するようになっている。
【００１９】
請求項５に係る発明では、このような構成を採用したことにより、コードの第１及び第２の導体間に電流或いは信号が流れると、抵抗を介して発光素子が発光する。発光した光は、ロッドレンズの先端部から入射して後端部へ伝達され、この後端部全体が発光する。これにより、電源或いは信号供給時において、プラグの後端側から発光状態を検知できる。
【００２０】
請求項６に係る発明では、請求項５のプラグにおいて、前記第３の孔内に位置する前記コードの端末部分をコード固定部材で固定し、前記コード固定部材の外周面の一部を前記リング部材で固定する構造になっている。
【００２１】
【発明の実施の形態】
［第１の実施形態］
（構成）
図１（１）〜（５）は、本発明の第１の実施形態を示す直線形発光素子付きプラグの構成図であり、同図（１）は正面図、同図（２）は同図（１）の左側面図、同図（３）は同図（１）のＡ−Ａ線断面図、同図（４）は同図（１）の一部切り欠き平面図、及び同図（５）は同図（４）の横断面図である。
【００２２】
この直線形発光素子付きプラグは、第１の導体１１及び第２の導体（例えば、シールド線）１２を有するコード１０の端末部分に直線状に接続されるものであって、樹脂等で形成された略円筒状の外ケース２０を有している。外ケース２０における後端開口部の内壁面には、内側に突出する環状凸部２１が形成されている。外ケース２０内の後端側には、アクリル樹脂等で形成された光透過性の光伝達用発光筒３０が着脱自在に装着されている。発光筒３０は略円筒状をなし、この後端側外周面に環状凹部３１が形成され、この環状凹部３１内に外ケース２側の環状凸部２１が嵌入している。発光筒３０の後端開口部には、先端開口部から伝達される光を内側に反射させる反射面３２が形成され、更にこの反射面３２が、光を乱反射させるために粗面状に加工されている。
【００２３】
外ケース２０内の先端側には、樹脂等で形成された絶縁性の内ケース４０が着脱自在に嵌入されている。内ケース４０は、合掌状態に２分割された略円筒状をなし、この接合面に両者を嵌合するための凹凸部が形成され、更に、内部にプラグ本体装着用の取付孔４１が形成されている。取付孔４１内には、プラグ本体５０の後端側が着脱自在に装着されている。
【００２４】
プラグ本体５０は、金属等で形成された導電性の略円筒状スリーブ５１と、このスリーブ５１内の中心軸に配置された丸ピン形等のコンタクト５２と、このコンタクト５２をスリーブ５１内に固定するための黄色樹脂等の絶縁部材５３とで構成されている。スリーブ５１の後端側外周面には、複数の嵌合用の環状凸部５１ａ，５１ｂが突設されている。プラグ本体５０の後端側には、略円板形の基板６０の裏面が略直交方向に固定されている。基板６０は、表面から裏面を貫通する貫通孔６１を有し、コンタクト５２の後端部がその貫通孔６１内を貫通して表面側へ突出している。コンタクト５２の後端が、コード１０の端末部分から露出する導体１１に半田付け等によって接続されると共に、スリーブ５１の後端側が、コード１０の端末部分から露出するシールド線１２に半田付け等によって接続されている。
【００２５】
基板６０の表面側には、例えば、ＬＥＤ等の２つの発光素子６２，６３と１つの抵抗６４とからなる発光回路が搭載され、その発光素子６２，６３が発光筒３０の先端開口部に対向する位置に配置されている。基板６０に形成された配線により、発光素子６２，６３及び抵抗６４が直列に接続され、更に、この発光素子６２，６３及び抵抗６４が、スリーブ５１及びコンタクト５２に対して並列に接続されている。
【００２６】
コード１０の端末部分の外周面は、リング状の固定部材（例えば、金属等で形成されただきラグ）７１によって把持固定され、更に、このだきラグ７１の外周面及びコード１０の外周面が、弾力性を有する樹脂等で形成された筒状のブッシング７２により覆われ、このブッシング７２の外周面の一部が、発光筒３０の後端開口部内に嵌入されて固定されている。ブッシング７２は、だきラグ７１箇所を発光筒３０内に固定すると共に、発光筒３０の後端開口部から突出してコード引出部分を覆い、コード１０の屈曲による断線等を防止している。これらのだきラグ７１及びブッシング７２により、コード固定部材が構成されている。
【００２７】
図２（１）〜（５）は、図１中の外ケース２０及び発光筒３０の構成図であり、同図（１）は内部に発光筒３０を嵌入した外ケース２０の正面図、同図（２）は同図（１）の左側面図、同図（３）は同図（１）の右側面図、同図（４）は同図（２）を９０°回転したときの左側面図、及び同図（５）は同図（４）に対する縦断面図である。
【００２８】
外ケース２０内の先端側には、内ケース４０の外周面と嵌合するための環状凹部２２が形成されている。
【００２９】
図３（１）〜（７）は、図１中の発光筒３０の構成図であり、同図（１）は正面図、同図（２）は同図（１）の左側面図、同図（３）は同図（２）に対する縦断面図、同図（４）は同図（３）のＢ−Ｂ線断面図、同図（５）は同図（２）を９０°回転したときの左側面図、同図（６）は同図（５）に対する縦断面図、及び同図（７）は同図（３）の反射面３２部分の拡大図である。
【００３０】
発光筒３０における環状凹部３１内には、回転方向の位置決めや固定を行うための複数の突起３３，３４が設けられ、この突起３３，３４を嵌入するために、外ケース２０の環状凸部２１側にも複数の凹部が形成されている。発光筒３０の側壁は、発光素子６２，６３から発光した光を効率よく伝達するために、その発光素子６２，６３に対向する箇所の厚みが他の箇所の厚みより厚くなっている。又、発光筒３０の側壁には、長手方向に複数のスリット３５，３６が形成され、法線方向に対する弾力性を持たせて外ケース２０への圧入を容易にしている。
【００３１】
図４（１）〜（６）は、図１中の内ケース４０の構成図であり、同図（１）は内ケース４０を２分割したときの片側の部材の正面図、同図（２）は同図（１）を反時計方向に９０°回転したときの左側面図、同図（３）は同図（２）に対する縦断面図、同図（４）は同図（３）に対する右側面図、同図（５）は同図（１）の背面図、及び同図（６）は同図（５）のＣ−Ｃ線断面図である。
【００３２】
内ケース４０を２分割したときの２つの部材は同一の構造であり、これらの接合面には、嵌合用の突起４２及び凹部４３がそれぞれ形成されている。内ケース４０の外周面には、外ケース２０側の環状凹部２２に嵌入するための環状凸部４４が突設されている。取付孔４１内の後端側には、プラグ本体５０側の環状凸部５１ａ，５１ｂを嵌入するための嵌合溝４５，４６が、中心軸に対して直交方向に形成されている。又、嵌合溝４５，４６の近傍には、スリーブ５１とシールド線１２との接続箇所を収容するための収容凹部４７が、長手方向に形成されている。
【００３３】
図５は、図１中の基板６０の表面図である。
【００３４】
基板６０の外縁には、スリーブ５１に接続されるシールド線１２を貫通させるための複数の切り欠き部６５が形成されている。
【００３５】
図６（１）〜（５）は、図１中のだきラグ７１の構成図であり、同図（１）はかしめ前の正面図、同図（２）は同図（１）の右側面図、同図（３）は同図（２）のＤ−Ｄ線断面図、同図（４）はかしめ後の正面図、及び同図（５）は同図（４）の右側面図である。
【００３６】
だきラグ７１は、コード１０の端末部分を把持固定するためのラグ本体７１ａを有し、このラグ本体７１ａに対して略直角方向に外側に延びる一対の係止片７１ｂ，７１ｃが設けられている。ラグ本体７１ａは、リング状にかしめることによってコード１０の端末部分の外周面に固定される。係止片７１ｂ，７１ｃは、これを覆うブッシング７２内に埋設され、このブッシング７２とラグ本体７１ａとを固定する機能を有している。
【００３７】
図７は、図１中の発光回路の回路図である。
【００３８】
例えば、コード１０の導体１１及びシールド線１２に電源或いは信号が供給されると、直列接続された発光素子６２，６３及び抵抗６４からなる発光回路に電流が流れ、その発光素子６２，６３が発光する。
【００３９】
（製造方法例）
本実施形態のプラグは、例えば、次のようにして製造される。
【００４０】
予め、外ケース２０、発光筒３０、及び２分割の内ケース４０を、樹脂のモールド成形等によってそれぞれ作成し、プラグ本体５０をインサート成形等によって作成し、更に、基板６０上に発光素子６２，６３及び抵抗６４を搭載しておく。プラグ本体５０の後端側から突出したコンタクト５２の後端側を、基板６０の裏面側からこの基板６０の貫通孔６１に挿入し、半田付け等によって該プラグ本体５０の後端側に基板６０を固定する。
【００４１】
発光筒３０の後端側を位置決めして外ケース２０の先端開口部内へ圧入し、その発光筒３０の後端側の環状凹部３１内に外ケース２０の後端側の環状凸部２１を嵌入する。この発光筒３０にコード１０を通しておき、このコード１０の端末部分にだきラグ７１を被せ、治具を用いてだきラグ７１をかしめ、コード１０の端末部分に固定する。だきラグ７１を覆うように、樹脂のモールド成形等によってブッシング７２を形成する。コード１０の端末部分から露出させた導体１１及びシールド線１２のうち、導体１１をコンタクト５２の後端側に半田付け等によって接続すると共に、シールド線１２を基板６０の切り欠き部６５に通してスリーブ５１の後端側に半田付け等によって接続する。
【００４２】
内ケース４０を２分割しておき、この一方の部材の嵌合溝４５，４６内にスリーブ５１の環状凸部５１ａ，５１ｂを嵌入すると共に、このスリーブ５１のシールド線接続箇所をその一方の部材の収容凹部４７内に挿入した後、他方の部材を一方の部材に合掌状態に接合し、この接合箇所の突起４２及び凹部４３を用いて両部材を嵌合し、内ケース４０をプラグ本体５０に装着する。
【００４３】
コード１０に通しておいた発光筒３０付きの外ケース２０を位置決めして、コード１０の端末方向へ移動させ、外ケース２０内の先端側に内ケース４０を圧入し、この内ケース４０の外周面側の環状凸部４４を外ケース２０内の環状凹部２２に嵌入すれば、図１のプラグの製造が終了する。
【００４４】
（使用例）
例えば、本実施形態のプラグが接続されたコード１０を、直流電源供給用の交流／直流変換器に接続し、そのプラグをパーソナルコンピュータ等の装置に設けられたジャックに挿入して、該装置に直流の電源電力を供給する場合の使用例を説明する。
【００４５】
交流電力を交流／直流変換器に印加すると、この交流／直流変換器から直流電流が出力され、コード１０を通してプラグ側に供給される。すると、抵抗６４を介して発光素子６２，６３に直流電流が流れ、該発光素子６２，６３が発光する。発光した２つの光は、プラグ側の発光筒３０の先端開口部から入射され、図３（７）の矢印で示すように、発光筒３０の対向する両側壁内を通って後端開口部側へ伝達される。伝達された光は、後端開口部の粗面状の反射面３２で乱反射されて周方向へ伝達され、該後端開口部全体が発光する。この際、プラグが装置側のジャックに挿入されていれば、スリーブ５１及びコンタクト５２を通してジャック側へ直流電流が供給される。
【００４６】
発光筒３０の後端開口部全体が発光すると、プラグ使用者がプラグの後端側から見た時に、該プラグに電源が印加されていることを簡単に検知できる。そのため、暗所での電源印加状態の確認や、プラグ位置の確認を容易に行うことができる。
【００４７】
他の使用例として、装置側のジャックにプラグを挿入した状態で、該装置側からプラグへ電源電力を供給すると、スリーブ５１及びコンタクト５２を通して発光素子６２，６３に電流が流れ、この発光素子６２，６３が発光する。すると、上記と同様に、発光筒３０の後端開口部全体が発光するので、プラグ使用者がプラグの後端側から見た時に、該プラグに電源が印加されていることを簡単に検知できる。
【００４８】
（効果）
この第１の実施形態では、次の（１）〜（３）のような効果がある。
【００４９】
（１）  電源がプラグに印加されると、発光素子６２，６３が発光し、発光筒３０の後端開口部全体が光るので、プラグ後方より電源印加状態を簡単に検知できる。そのため、暗所での電源印加状態の確認や、プラグ位置の確認を容易に行うことができる。
【００５０】
（２）  発光筒３０の後端開口部に粗面状の反射面３２を形成したので、発光筒３０の先端開口部から入射された光をその反射面３２で周方向へ乱反射させることができる。これにより、少ない数の発光素子６２，６３によって発光筒３０の後端開口部全体を効率よく光らせることができる。
【００５１】
（３）  発光筒３０を外ケース２０に嵌入し、コード１０に接続された基板６０付きプラグ本体５０に、２分割構造の内ケース４０を装着した後、該内ケース４０を外ケース２０内に嵌入するだけで、発光素子付きプラグを簡単に製造できる。
【００５２】
［第２の実施形態］
（構成）
図８（１）〜（４）は、本発明の第２の実施形態を示すＬ字形発光素子付きプラグの構成図であり、同図（１）は正面図、同図（２）は右側面図、同図（３）は平面図、及び同図（４）は縦断面図でる。更に、図９（１）〜（５）は、図８中のカバー９０の構成図であり、同図（１）は平面図、同図（２）は正面図、同図（３）は右側面図、同図（４）は底面図、及び同図（５）は同図（４）のＥ−Ｅ線断面図である。これらの図８及び図９において、第１の実施形態を示す図１〜図７中の要素と共通の要素には共通の符号が付されている。
【００５３】
このＬ字形発光素子付きプラグは、コード１０の端末部分にＬ字状に接続されるものであって、樹脂等で形成されたケース８０を有している。ケース８０は、合掌状態に２分割された略円筒状をなし、この外周面にカバー取付凹部８１が形成されている。ケース８０の後端部は閉塞され、先端側にプラグ本体装着用の第１の孔８２が設けられ、この孔８２に連接して内部に部品収容部８３が設けられている。部品収容部８３内には、レンズ取付枠８４が設けられ、これに対応する後端側閉塞箇所に、レンズ露出用の第２の孔８５が形成されている。部品収容部８３の底面側には、コード１０を略直角方向に引き出すための第３の孔８６が形成されている。又、合掌状態に２分割されたケース８０の接合面には、両部材を嵌合するための凹凸部８７，・・・が形成されている。
【００５４】
２分割構造のケース８０のカバー取付凹部８１には、その両部材を固定するためのカバー９０が着脱自在に装着され、このカバー９０によって２分割構造のケース８０が把持固定されている。カバー９０は、ケース８０を把持するためのナイロン樹脂等で形成された帯状の弾性部材９１を有し、この両端に、硬質樹脂等で形成された半円形リング部材９２，９３がそれぞれ取り付けられている。この２つの半円形リング部材９２，９３を合掌状態に接合し、これらの外周をロックリング９４によって着脱自在に固定するようになっている。
【００５５】
第１の孔８２内には、図１と同様のプラグ本体５０が嵌入され、このプラグ本体５０の後端側に固定された図１と同様の基板６０が、部品収容部８３内に嵌合されている。基板６０の表面側には、図１とほぼ同様に、発光素子６２及び抵抗６４の直列回路からなる発光回路が搭載され、この発光回路がプラグ本体５０のスリーブ５１及びコンタクト５２に対して並列に接続されている。
【００５６】
発光素子６２と対向する箇所にロッドレンズ１００が配置され、このロッドレンズ１００がレンズ取付枠８４に嵌合されている。ロッドレンズ１００は、発光素子６２から発光された光を所定方向へ伝達するレンズ本体１０１と、このレンズ本体１０１の後端に延設された発光用の円形頭部１０２とで構成され、レンズ本体１０１がレンズ取付枠８４に嵌合し、円形頭部１０２が第２の孔８５内に挿入されている。レンズ本体１０１の後端側は、屈曲しており、この屈曲箇所に、先端側から伝達される光を反射する第１の反射面１０１ａが形成されると共に、この反射面１０１ａに対応してその反射光を円形頭部１０２方向へ反射する第２の反射面１０１ｂが形成され、円形頭部１０２の全体が発光するようになっている。
【００５７】
コード１０の端末部分の外周面は、図１と同様のだきラグ７１により把持固定され、このだきラグ７１箇所が図１とほぼ同様のブッシング７２によって覆われている。ブッシング７２の先端部には、固定用の環状凸部７２ａと７２ｂが設けられ、この環状凸部７２ａと７２ｂの間に環状凹部７２ｃが形成されている。この環状凹部７２ｃ内に、カバー９０側の半円形リング部材９２，９３の内周部分が嵌入するようになっている。ブッシング７２の先端から露出するコード１０の導体１１及びシールド線１２は、第３の孔８６を通ってコンタクト５２及びスリーブ５１にそれぞれ半田付け等で接続されている。
【００５８】
（製造方法例）
本実施形態のプラグは、例えば、次のようにして製造される。
【００５９】
第１の実施形態とほぼ同様に、予め、基板６０を固定したプラグ本体５０を作成しておくと共に、ケース８０、カバー９０、及びロックリング９４を、樹脂のモールド成形等によってそれぞれ作成しておく。
【００６０】
ロックリング９４をコード１０に通しておき、第１の実施形態と同様に、このコード１０の端末部分にだきラグ７１を被せて固定した後、このだきラグ７１の外周にブッシング７２を被着する。そして、コード１０の端末部分から露出させた導体１１をコンタクト５２の後端側に接続すると共に、シールド線１２をスリーブ５１の後端側に接続する。
【００６１】
ケース８０を２分割しておき、この一方の部材の孔８２内にプラグ本体５０を位置決めして嵌入すると共に、このプラグ本体５０の後端側に固定された基板６０を部品収容部８３内に嵌入し、該プラグ本体５０に接続されたコード１０の端末部分を孔８６から引き出す。更に、一方の部材のレンズ固定枠８４にロッドレンズ１００を嵌合すると共に、このロッドレンズ１００の円形頭部１０２を孔８５内に挿入する。そして、ケース８０の他方の部材を一方の部材に合掌状態に接合し、この接合箇所の凹凸部８７，・・・を用いて両部材を嵌合する。
【００６２】
ケース８０のカバー取付凹部８１に、カバー９０の弾性部材９１を、この弾性力に抗して巻き付け、この弾性部材９１の両端に設けられた半円形リング部材９２，９３の内周部を、ブッシング７２の環状凹部７２ｃに嵌入して該半円形リング部材９２，９３を合掌状態に接合し、ブッシング７２の環状凸部７２ａ及び環状凹部７２ｃ箇所に装着する。その後、コード１０に通しておいたロックリング９４を、コード１０の端末方向へ移動させて半円形リング部材９２，９３の外周に嵌合すれば、弾性部材９１の弾性復元力によって該半円形リング部材９２、９３とロックリング９４とが強固に固定され、図８のプラグの製造が終了する。
【００６３】
（使用例）
例えば、第１の実施形態とほぼ同様に、電源をコード１０を介してプラグ側に印加すると、抵抗６４を介して発光素子６２に電流が流れ、この発光素子６２が発光する。発光した光は、ロッドレンズ１００におけるロッドレンズ本体１０１の先端側から入射され、図８（４）の矢印で示すように、後端側へ伝達される。伝達された光は、後端側の反射面１０１ａ，１０１ｂで反射されて円形頭部１０２へ伝達され、該円形頭部１０２の全体が発光する。円形頭部１０２は、ケース８０の後端側の孔８５から露出しているので、この円形頭部１０２の全体が発光すると、プラグ使用者がプラグの後端側から見た時に、該プラグに電源が印加されていることを簡単に検知できる。そのため、暗所での電源印加状態の確認や、プラグ位置の確認を容易に行うことができる。
【００６４】
（効果）
この第２の実施形態では、次の（１）〜（４）のような効果がある。
【００６５】
（１）  電源がプラグに印加されると、発光素子６２が発光し、ロッドレンズ１００の円形頭部１０２全体が光るので、プラグ後方より電源印加状態を簡単に検知できる。そのため、暗所での電源印加状態の確認や、プラグ位置の確認を容易に行うことができる。
【００６６】
（２）  レンズ本体１０１に第１及び第２の反射面１０１ａ，１０１ｂを形成したので、レンズ本体１０１の先端側から入射された光をその反射面１０１ａ，１０１ｂで反射させて円形頭部１０２側へ伝達できる。これにより、１つの発光素子６２によって円形頭部１０２の全体を光らせることができる。又、第２の反射面１０１ｂは、例えば、粗面状に形成して入射光を乱反射させる構造にすれば、円形頭部１０２の全体をより効率よく発光させることができる。
【００６７】
（３）  レンズ本体１０１の後端側を屈曲させて反射面１０１ａ，１０１ｂを形成しているので、円形頭部１０２の露出箇所を所望の位置に設定でき、設計の自由度が大きくなる。
【００６８】
（４）  コード１０に接続された基板６０付きプラグ本体５０を、２分割構造のケース８０内に嵌入し、このケース８０の接合箇所を、カバー９０及びロックリング９４を用いて固定するだけで、発光素子付きプラグを簡単に製造できる。
【００６９】
［利用形態］
本発明は、上記実施形態に限定されず、種々の変形や利用形態が可能である。この変形や利用形態としては、例えば、次の（ａ）〜（ｄ）のようなものがある。
【００７０】
（ａ）  図示のプラグ本体５０は、単頭プラグ本体等の他のプラグ構造に変更しても良い。例えば、単頭プラグ本体に変更する場合は、スリーブ５１の先端から、口径を大きくしたコンタクト５２の先端を突出させ、これらのスリーブ５１とコンタクト５２との間を絶縁部材５３により充填固定した構造になる。
【００７１】
（ｂ）  外ケース２０、内ケース４０、だきラグ７１、ブッシング７２、ケース８０、カバー９０等も、図示以外の他の形状や構造に変更できる。
【００７２】
（ｃ）  発光筒３０やロッドレンズ１００は、図示以外の他の形状や構造に変更しても良い。例えば、発光筒３０の反射面３２に、粗面形状に代えて、三角形等の凹凸を形成しても良く、これによって光の反射方向を周方向へ効率よく変更できる。
【００７３】
（ｄ）  第１及び第２の実施形態のプラグでは、これに電源を印加したときに発光筒３０の後端開口部或いはロッドレンズ１００の円形頭部１０２が発光する構造にしたが、発光回路を変更することにより、信号供給時に発光する構造にしても良い。
【００７４】
【発明の効果】
以上詳細に説明したように、請求項１、２に係る発明によれば、コード引出方向である発光筒側の後端開口部の全体が発光する構成にしたので、プラグ後方より電源或いは信号の供給状態を簡単に検知でき、暗所での電源或いは信号の供給状態の確認や、プラグ位置の確認を容易に行うことができる。更に、発光筒を外ケースに嵌入し、コードに接続された基板付きプラグ本体に、２分割構造の内ケースを装着した後、該内ケースを外ケース内に嵌入するだけで、発光素子付きプラグを簡単に製造できる。
【００７５】
請求項３、４に係る発明によれば、反射面を粗面形状或いは凹凸形状にしたので、少ない数の発光素子によって発光筒の後端開口部全体を効率よく光らせることができる。
【００７６】
請求項５、６に係る発明によれば、ケースの後端側に配置されたロッドレンズ後端部の全体が発光する構成にしたので、プラグ後方より電源或いは信号の供給状態を簡単に検知でき、暗所での電源或いは信号の供給状態の確認や、プラグ位置の確認を容易に行うことができる。更に、コードに接続された基板付きプラグ本体を、２分割構造のケース内に嵌入し、このケースの接合箇所を、カバー及びロックリングを用いて固定するだけで、発光素子付きプラグを簡単に製造できる。
【図面の簡単な説明】
【図１】本発明の第１の実施形態を示すプラグの構成図である。
【図２】図１中の外ケース及び発光筒の構成図である。
【図３】図１中の発光筒の構成図である。
【図４】図１中の内ケースの構成図である。
【図５】図１中の基板の表面図である。
【図６】図１中のだきラグの構成図である。
【図７】図１中の発光回路の回路図である。
【図８】本発明の第２の実施形態を示すプラグの構成図である。
【図９】図８中のカバーの構成図である。
【符号の説明】
１０                          コード
２０                          外ケース
３０                          発光筒
３２，１０１ａ，１０１ｂ      反射面
４０                          内ケース
５０                          プラグ本体
６０                          基板
６２，６３                    発光素子
６４                          抵抗
７１                          だきラグ
７２                          ブッシング
８０                          ケース
８２，８５，８６              孔
９０                          カバー
９４                          ロックリング
１００                        ロッドレンズ
【図１】
0003658585.tif 000002
【図２】
0003658585.tif 000003
【図３】
0003658585.tif 000004
【図４】
0003658585.tif 000005
【図５】
0003658585.tif 000006
【図６】
0003658585.tif 000007
【図７】
0003658585.tif 000008
【図８】
0003658585.tif 000009
【図９】
0003658585.tif 000010